(57)【要約】【課題】本発明は通常時には多数個の開閉羽根が開放状態になっており、排気、排煙、換気を行なうことができるとともに、暴風雨の場合には多数個の開閉羽根間に隙間が生じないように自動的に閉じて、内部への暴風雨の浸入を阻止することができる排気ガラリを得るにある。【解決手段】建物の開口部の周縁部に取付けられる枠状のフレ−ムと、この枠状のフレ−ムの対向するフレ−ム部材に所定間隔で両端部が枢支され、所定量以上の風圧が作用すると該風圧によって回動して、該フレ−ムの開口部を閉じる多数個の開閉羽根と、この多数個の開閉羽根に取付けられた、常時は開放状態を保ち、所定量以上の風圧が作用すると該風圧によってフレ−ムの開口部を閉じるように作用させることができる開閉羽根支持手段とで排気ガラリを構成している。【選択図】　図２
2004044288.tif 000002
【特許請求の範囲】
【請求項１】
建物の開口部の周縁部に取付けられる枠状のフレ−ムと、この枠状のフレ−ムの対向するフレ−ム部材に所定間隔で両端部が枢支され、所定量以上の風圧が作用すると該風圧によって回動して、該フレ−ムの開口部を閉じる多数個の開閉羽根と、この多数個の開閉羽根に取付けられた、常時は開放状態を保ち、所定量以上の風圧が作用すると該風圧によってフレ−ムの開口部を閉じるように作用させることができる開閉羽根支持手段とからなることを特徴とする排気ガラリ。
【請求項２】
建物の開口部の周縁部に取付けられるチャンネル材あるいはアングル材を用いて内側部分が凹部となるように形成された枠状のフレ−ムと、この枠状のフレ−ムの一方の対向するフレ−ム部材の側板に所定間隔で両端部が枢支されるとともに、先端部が該フレ−ム部材の前板に係止され、所定量以上の風圧が作用すると該風圧によって回動して、該フレ−ムの開口部を閉じる多数個の開閉羽根と、この多数個の開閉羽根に取付けられた、常時は開放状態を保ち、所定量以上の風圧が作用すると該風圧によってフレ−ムの開口部を閉じるように作用させることができる開閉羽根支持手段とからなることを特徴とする排気ガラリ。
【請求項３】
開閉羽根支持手段は多数個の開閉羽根を閉状態に保持する閉状態保持機構が備えられていることを特徴とする請求項１、２記載の排気ガラリ。
【発明の詳細な説明】
【０００１】
【発明の属する技術分野】
本発明は建物の屋上の機械室等に使用される排気ガラリに関する。
【０００２】
【従来の技術】
従来の排気ガラリは建物の開口部の周縁部に取付けられる枠状のフレ−ムと、この枠状のフレ−ムの両側部のフレ−ム部材に両端部が固定された、所定間隔でほぼ４５度傾斜する多数個の固定羽根とで構成されている。
【０００３】
【発明が解決しようとする課題】
従来の排気ガラリは枠状のフレ−ムに所定間隔で多数個の固定羽根を取付けているため、室内の排気や排煙を多数個の固定羽根間より外部へ排出したり、外部より空気が侵入して換気を行なうことができるが、常時多数個の固定羽根間は開放状態となっているため、暴風雨の場合には多数個の固定羽根間より暴風雨が室内へ浸入し、室内を汚してしまう等の欠点があった。
【０００４】
本発明は以上のような従来の欠点に鑑み、通常時には多数個の開閉羽根が開放状態になっており、排気、排煙、換気を行なうことができるとともに、暴風雨の場合には多数個の開閉羽根間に隙間が生じないように自動的に閉じて、内部への暴風雨の浸入を阻止することができる排気ガラリを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は建物の開口部の周縁部に取付けられる枠状のフレ−ムと、この枠状のフレ−ムの対向するフレ−ム部材に所定間隔で両端部が枢支され、所定量以上の風圧が作用すると該風圧によって回動して、該フレ−ムの開口部を閉じる多数個の開閉羽根と、この多数個の開閉羽根に取付けられた、常時は開放状態を保ち、所定量以上の風圧が作用すると該風圧によってフレ−ムの開口部を閉じるように作用させることができる開閉羽根支持手段とで排気ガラリを構成している。
【０００７】
【発明の実施の形態】
以下、図面に示す実施の形態により、本発明を詳細に説明する。
【０００８】
図１ないし図６に示す本発明の第１の実施の形態において、１は建物２の屋上の機械室３の開口部４に取付けられた本発明の排気ガラリで、この排気ガラリ１は前記開口部４の周縁部に取付けられるアングル材を用いて形成した枠状のフレ−ム５と、この枠状のフレ−ム５の対向するフレ−ム部材５ａ、５ａに所定間隔で両端部が枢支され、所定量以上の風圧が作用すると該風圧によって回動して、該枠状のフレ−ム５の開口部５ｂを閉じる多数個の開閉羽根６と、この多数個の開閉羽根６に取付けられた、常時は開放状態を保ち、所定量以上の風圧が作用すると該風圧によって枠状のフレ−ム５の開口部５ｂを閉じるように作用させることができる開閉羽根支持手段７とで構成されている。
【０００９】
前記多数個の開閉羽根６は先端両側部が前記枠状のフレ−ム５の前面板５ｃ、５ｃに当接する、ほぼへ字状に形成された開閉羽根本体８と、この開閉羽根本体の両側部より外方へ突出するように形成された、前記フレ−ム部材５ａ、５ａの側面板５ｄ、５ｄに形成された軸９、９に回動可能に支持される筒状の軸受１０、１０とで構成されている。
【００１０】
前記開閉羽根支持手段７は前記開閉羽根６の後端部に、それぞれ一体あるいは固定的に取付けられた重り１１で構成されている。
【００１１】
上記構成の排気ガラリ１は、常時は開閉羽根支持手段７としての開閉羽根６の重り１１によって、開閉羽根６の先端部がフレ−ム部材５ａ、５ａの前面板５ｃ、５ｃに当接された、開閉羽根６、６間が開放された状態となっている。
このため、排気、排煙や換気を行なうことができる。
強風や暴風雨時には多数個の開閉羽根６に風が当り、該風圧が開閉羽根支持手段７としての開閉羽根６の重り１１の付勢力よりも大きくなると、開閉羽根６を閉じる方向に自動的に回動させて、枠状のフレ−ム５の開口部５ｂを閉じ、室内への風、雨の浸入を自動的に阻止する。
【００１２】
【発明の異なる実施の形態】
次に、図７ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図７ないし図９に示す本発明の第２の実施の形態において、前記本発明の第１の実施の形態と主に異なる点は、角パイプ材１２の一端部より内側に突出する前面板５ｃを一体形成したフレ−ム部材１３を用いて形成した枠状のフレ−ム５Ａと、この枠状のフレ−ム５Ａの対向するフレ−ム部材１３、１３の角パイプ材１２、１２部位に所定間隔で形成された軸孔１４、１４に挿入される軸１５、１５を両端部より突出する多数個の開閉羽根６Ａとを用いた点で、このように構成された排気ガラリ１Ａにしても、前記本発明の第１の実施の形態と同様な作用効果が得られる。
【００１４】
図１０ないし図１２に示す本発明の第３の実施の形態において、前記本発明の第２の実施の形態と主に異なる点は、多数個の開閉羽根６Ａが同時に開閉するように取付けられた紐、ワイヤ−等の連結杆１６と、この連結杆１６に取付けられたスプリングあるいは重り、本発明の実施の形態では重り１７とからなる開閉羽根支持手段７Ａを用いた点で、このような開閉羽根支持手段７Ａを用いて構成した排気ガラリ１Ｂにしても、前記本発明の第２の実施の形態と同様な作用効果が得られる。
【００１５】
図１３ないし図１５に示す本発明の第４の実施の形態において、前記本発明の第３の実施の形態と主に異なる点は、多数個の開閉羽根６Ａを強制的に閉状態を保つことができる多数個の開閉羽根６Ａを同時に閉状態にするように取付けられた紐やワイヤ−１８と、この紐やワイヤ−１８の下端部を係止させる枠状のフレ−ム５Ａの下部フレ−ム部材１３に取付けられた着脱可能な係止具１９とからなる閉状態保持機構２０を備えた開閉羽根支持手段７Ｂを用いた点で、このような開閉羽根支持手段７Ｂを用いて構成した排気ガラリ１Ｃにしても、前記本発明の第３の実施の形態と同様な作用効果が得られる。
【００１６】
図１６ないし図１８に示す本発明の第５の実施の形態において、前記本発明の第４の実施の形態と主に異なる点は、両側および上部をチャンネル状のフレ−ム部材１３Ａ、１３Ａ、１３Ａを用いるとともに、下部をクランク状のフレ−ム部材１３Ｂを用いて形成した枠状のフレ−ム５Ｂを用いた点で、このような枠状のフレ−ム５Ｂを用いて構成した排気ガラリ１Ｄにしても、前記本発明の第４の実施の形態と同様な作用効果が得られるとともに、雨水の室内への浸入を防止して外部へ効率よく排水することができる。
なお、この本発明の実施の形態の枠状のフレ−ム５Ｂは、前記本発明の第１、第２、第３の実施の形態にも同様に使用することができる。
また、下部フレ−ム部材をチャンネル状のフレ−ム部材を用いて、該フレ−ム部材に排水孔を形成してもよい。
【００１７】
なお、前記本発明の各実施の形態は、建物２の屋上の機械室３に設置するものについて説明したが、本発明はこれに限らず、工場や車庫等の壁面に形成した開口部に取付けて使用してもよい。
【００１８】
【発明の効果】
以上の説明から明らかなように、本発明にあっては次に列挙する効果が得られる。
【００１９】
（１）建物の開口部の周縁部に取付けられる枠状のフレ−ムと、この枠状のフレ−ムの対向するフレ−ム部材に所定間隔で両端部が枢支され、所定量以上の風圧が作用すると該風圧によって回動して、該フレ−ムの開口部を閉じる多数個の開閉羽根と、この多数個の開閉羽根に取付けられた、常時は開放状態を保ち、所定量以上の風圧が作用すると該風圧によってフレ−ムの開口部を閉じるように作用させることができる開閉羽根支持手段とで構成されているので、枠状のフレ−ムに取付けられた多数個の開閉羽根は常時開放状態を保つことができる。
したがって、排気、排煙、換気を行なうことができる。
【００２０】
（２）前記（１）によって、所定量以上の風圧が多数個の開閉羽根に作用すると、枠状のフレ−ムの開口部を自動的に閉じることができる。
したがって、風や雨が内部に浸入するのを自動的に、効率よく阻止することができる。
【００２１】
（３）前記（１）によって、構造が簡単であるので、容易に製造することができる。
【００２２】
（４）請求項２、３も前記（１）〜（３）と同様な効果が得られる。
【図面の簡単な説明】
【図１】本発明の第１の実施の形態の正面図。
【図２】図１の２−２線に沿う断面図。
【図３】図１の３−３線に沿う断面図。
【図４】本発明の第１の実施の形態の枠状のフレ−ムの説明図。
【図５】本発明の第１の実施の形態の開閉羽根の説明図。
【図６】本発明の第１の実施の形態の開閉羽根が閉じた状態の説明図。
【図７】本発明の第２の実施の形態の正面図。
【図８】図７の８−８線に沿う断面図。
【図９】図７の９−９線に沿う断面図。
【図１０】本発明の第３の実施の形態の正面図。
【図１１】図１０の１１−１１線に沿う断面図。
【図１２】図１０の１２−１２線に沿う断面図。
【図１３】本発明の第４の実施の形態の正面図。
【図１４】図１３の１４−１４線に沿う断面図。
【図１５】図１３の１５−１５線に沿う断面図。
【図１６】本発明の第５の実施の形態の正面図。
【図１７】図１６の１７−１７線に沿う断面図。
【図１８】図１６の１８−１８線に沿う断面図。
【符号の説明】
１、１Ａ、１Ｂ、１Ｃ、１Ｄ：排気ガラリ、
２：建物、　　　　　　　３：機械室、
４：開口部、
５、５Ａ、５Ｂ：枠状のフレ−ム、
６、６Ａ：開閉羽根、
７、７Ａ、７Ｂ：開閉羽根支持手段、
８：開閉羽根本体、　　　９：軸、
１０：軸受、　　　　　　１１：重り、
１２：角パイプ材、
１３、１３Ａ、１３Ｂ：フレ−ム部材、
１４：軸孔、　　　　　　１５：軸、
１６：連結杆、　　　　　１７：重り、
１８：紐やワイヤ−、　　１９：係止具、
２０：閉状態保持機構。
【図１】
2004044288.tif 000003
【図２】
2004044288.tif 000004
【図３】
2004044288.tif 000005
【図４】
2004044288.tif 000006
【図５】
2004044288.tif 000007
【図６】
2004044288.tif 000008
【図７】
2004044288.tif 000009
【図８】
2004044288.tif 000010
【図９】
2004044288.tif 000011
【図１０】
2004044288.tif 000012
【図１１】
2004044288.tif 000013
【図１２】
2004044288.tif 000014
【図１３】
2004044288.tif 000015
【図１４】
2004044288.tif 000016
【図１５】
2004044288.tif 000017
【図１６】
2004044288.tif 000018
【図１７】
2004044288.tif 000019
【図１８】
2004044288.tif 000020